(57)【要約】  保管及び発送ボックスであって、ボックスの外側の第１閉鎖フラップ（１）を備え、第１閉鎖フラップ（１）は、ボックスの上面の１対の対向側部から延在し、且つ、１又は複数回の発送を実行するために、封止、ステープル留め、又は糊付けされ易い。ボックスは、ボックスの外側の第２閉鎖フラップ（２）もさらに備え、第２閉鎖フラップ（２）が、ボックスの上面の他方の２つの対向側部から延在し、且つ、第２閉鎖フラップ（２）が、ボックスを必要に応じて何度でも開閉するための閉鎖要素（３，４）を含み、且つ、第２閉鎖フラップ（２）が、発送実行の前又は後に製品の保管のために又は注文準備のために用いられ易いことを特徴とする。
2014517795.tif 000002
【特許請求の範囲】
【請求項１】
保管及び発送ボックスであって、前記ボックスの外側の第１閉鎖フラップ（１）を備え、
前記第１閉鎖フラップ（１）が、前記ボックスの上面の１対の対向側部から延在し、
前記第１閉鎖フラップ（１）が、１以上の発送が実行されるために、粘着テープ、ステープル、又は接着剤を用いて封止され易い保管及び発送ボックスにおいて、
前記ボックスが、前記ボックスの外側の第２閉鎖フラップ（２）もさらに備え、
前記第２閉鎖フラップ（２）が前記ボックスの前記上面の他方の２つの対向側部から延在し、
前記第２閉鎖フラップ（２）が、前記ボックスを必要に応じて何度でも開閉するための閉鎖要素（３，４）を含み、
前記第２閉鎖フラップ（２）が、発送実行の前又は後に、製品の保管のために又は注文準備のために、用いられ易いことを特徴とする、保管及び発送ボックス。
【請求項２】
発送のための前記第１閉鎖フラップ（１）が、閉鎖位置にて当該第１閉鎖フラップ（１）の対向端により、少なくとも実質的に互いに接触するような寸法を有する請求項１に記載の保管及び発送ボックス。
【請求項３】
発送のための前記第１閉鎖フラップ（１）が、当該第１閉鎖フラップ（１）の閉鎖位置にて部分的に又は完全に重ねられる請求項２に記載の保管及び発送ボックス。
【請求項４】
前記第１閉鎖フラップ（１）の対向端が６ｃｍ以下の距離で互いに分離されており、これにより、前記第１閉鎖フラップ（１）が粘着テープにより常に封止され易い請求項１に記載の保管及び発送ボックス。
【請求項５】
発送のための前記第１閉鎖フラップ（１）の一方が引裂ストリップ（６）を含む請求項３に記載の保管及び発送ボックス。
【請求項６】
前記ボックスの閉鎖位置において、前記引裂ストリップ（６）が、発送のための前記第１閉鎖フラップ（１）の他方に重なっている請求項５に記載の保管及び発送ボックス。
【請求項７】
発送のための前記第１閉鎖フラップ（１）の一方が両面粘着テープ（７）を含む請求項３に記載の保管及び発送ボックス。
【請求項８】
前記第２閉鎖フラップ（２）の前記閉鎖要素（３，４）が前記第２閉鎖フラップ（２）の対向端の相互ロックを可能にするように構成されている請求項１に記載の保管及び発送ボックス。
【請求項９】
前記閉鎖要素が、前記第２閉鎖フラップ（２）の対向端の各々に設けられた少なくとも１つのスロット（８）を含み、
前記スロット（８）が、前記第２閉鎖フラップ（２）の相互ロックを可能にする請求項８に記載の保管及び発送ボックス。
【請求項１０】
保管のための前記第２閉鎖フラップ（２）の前記閉鎖要素が、前記第２閉鎖フラップ（２）の各々に設けられた前記相互ロックスロット（８）を通して互いに取り付け可能な一連のタブ（３，４）を含む請求項９に記載の保管及び発送ボックス。
【請求項１１】
前記閉鎖要素の前記タブ（３）の一方が折り曲げ線（５）を含む請求項１０に記載の保管及び発送ボックス。
【請求項１２】
ほぼ平行六面体の本体を画成している複数の面を備え、且つ、前記本体の上面の２つの対向側部における、発送のための前記第１閉鎖フラップ（１）と、前記上面の他方の２つの対向側部における、保管のための前記第２閉鎖フラップ（２）とを含み、前記第１閉鎖フラップ（１）の長さ（１１，１１’）の合計が、
‐  前記第２閉鎖フラップ（２）を含むボックス側部の長さ（Ｌ２）に等しく、若しくは、
‐  前記第２閉鎖フラップ（２）を含むボックス側部の長さ（Ｌ２）よりも大きく、又は、
‐  前記第２閉鎖フラップ（２）を含むボックス側部の長さ（Ｌ２）から、７．５ｃｍ以下、好ましくは６ｃｍ以下の分離距離を差し引いた長さに等しく、前記距離が、前記第１閉鎖フラップ（１）を粘着テープにより封止する可能性を常に保証する、請求項１に記載の保管及び発送ボックス。
【請求項１３】
ほぼ平行六面体の本体を画成する複数の面を含み、前記本体において、保管のための前記第２閉鎖フラップ（２）の少なくとも一方が、前記本体の前記上面の側部の１つから、発送のための前記第１閉鎖フラップ（１）を含む、前記面の他方側部の長さ（ＬＩ）の半分よりも大きい距離（１２）延在する請求項１又は１２のいずれかに記載の保管及び発送ボックス。
【請求項１４】
前記本体の前記上面の、前記第１閉鎖フラップ（１）及び前記第２閉鎖フラップ（２）がそこから延在する側部がインデント（９）を含み、
前記インデント（９）が、ボックスが分解されたならば実質的に互いに位置合わせされる請求項１２〜１３のいずれかに記載の保管及び発送ボックス。
【請求項１５】
最初に、前記第２閉鎖フラップ（２）が前記ボックスの外側を閉鎖した状態での保管ボックスとして、次いで、前記第１閉鎖フラップ（１）が前記ボックスの外側を閉鎖した状態での発送ボックスとして、或いはこの逆順での、１又は複数回の、請求項１〜１４のいずれかに記載のボックスの使用。
【発明の詳細な説明】
【技術分野】
【０００１】
本発明は、保管及び輸送ボックス、特には、製品を安全で封止された状態で輸送することを可能にするボックスであって、同一のボックスが、保管及び注文準備のためにも用いられることができ、且つ、必要に応じて何度でも開閉されることができるボックスに関する。
【背景技術】
【０００２】
現在、製品の輸送又は発送は、一般に、ボックスを封止するように閉鎖することを可能にする閉鎖フラップを備えた段ボール箱を用いて行われている。このために、上記フラップ上に、粘着テープ、ステープル、又は接着剤が配置される。
【０００３】
現在公知のこれらの輸送又は発送ボックスは、保管ボックスとして、又は注文準備（ピッキング）（“ｐｉｃｋｉｎｇ”）に用いるために特に設計されてはいないという欠点を有する。従って、粘着テープを取り外すときに閉鎖フラップが破れる場合があり、これにより、保管ボックスとして使用すること、さらには、新しい粘着テープ、ステープル、又は接着剤を用いずに再び閉鎖できるボックスの使用が妨げられる。
【０００４】
粘着テープの除去中に閉鎖フラップが損傷されない場合でも、製品を発送又は輸送するための従来のボックスは、ボックスを必要に応じて何度でも開閉することを可能にするための閉鎖要素、すなわち、ボックスを保管ボックスとして使用するために、又は、注文準備（ピッキング）のために必要である閉鎖要素を何ら有さない。
【０００５】
従来の発送又は輸送ボックスが保管ボックスとして用いられることは一般的であるが、これらのボックスは適切に閉鎖されずに塵及び埃をボックス内に入れてしまい、また、ボックスの封止及び開封の繰り返しにより時間を浪費させる。
【０００６】
現在、フラップがボックスの外側フラップと共にボックスの開閉を可能にするボックスが存在するが、これは、発送のために、封止、ステープル留め、又は糊付けされたならば損傷して、ボックスの本来の機能を妨げるであろう。
【０００７】
フラップが、例えば、粘着テープ、ステープル、接着剤などを用いて適切に閉鎖される場合でも、ユーザがボックス内部にアクセスする度に毎回開閉動作を行うことが必要であり、これは一般的であろう。
【０００８】
２組のフラップを備えたボックスが公知であるが、これらのボックスは、発送及び保管ボックスとして特定の順序で、すなわち、最初に発送ボックスとして、次いで保管ボックスとして、或いは、その逆順で、使用されることができない。
【０００９】
例えば、特許文献１は、幾つかの第１閉鎖フラップ、及び、ハンドルを形成するために用いられる幾つかの第２閉鎖フラップを備えた段ボール容器を記載している。本発明のボックスとは異なり、この容器は包装ボックスではなくバスケットであり、上部のフラップがハンドルを形成し、その機能が手での取扱いを容易にしている。
【００１０】
特許文献２は、二重使用防止のため、不正開封されていないかを容易に検査するための包装ボックスを記載している。この包装ボックスは、複数回の発送を行うために用いられることができない。なぜなら、１回使用したならばボックスのフラップの幾つかが分離されるため、２回封止することができないからである。これに加えて、スロット内に差し込まれる突出部を用いる閉鎖システムにより、ボックスは、上方から圧力を加えると開放される場合があり、また、発送を行う前、又はボックスが満杯のときに閉鎖することが困難である。なぜなら、内側フラップ又は内部荷物が、突出部をスロット内に差し込むことを困難にするからである。
【００１１】
特許文献３は、２組のフラップを備えたボックスを記載している。このボックスのフラップは、使い捨てでのみ使用されるように設計されており、幾つかの内側フラップをベースとして用いて、さらなるフラップをこれらのフラップ上に接着することを可能にする。このボックスは、１回使用すると保管ボックスとして再使用できない。なぜなら、開放時に内側フラップが破れるからである。
【００１２】
特許文献４は、２組のフラップを備えたボックスを記載している。これらの２組のフラップは、本発明のボックスのとは異なり、封止のために用いられて発送用途のみ有する。
【先行技術文献】
【特許文献】
【００１３】
【特許文献１】仏国特許第１１８９２９７号明細書
【特許文献２】仏国特許第１５７８１４８号明細書
【特許文献３】米国特許第１８６９７４２号明細書
【特許文献４】米国特許出願公開第２００３／０２０１３１５号明細書
【発明の概要】
【発明が解決しようとする課題】
【００１４】
従って、発送若しくは輸送ボックスとして、次いで、保管ボックス若しくは注文準備（ピッキング）として、又はこの逆順で、区別せずに用いることが可能なボックスであって、輸送されるときにボックスを封止すること、また同時に、保管ボックスとして若しくは注文準備（ピッキング）に用いる場合に必要に応じて快適に開閉することを可能にするボックスが必要であることは明白である。
【課題を解決するための手段】
【００１５】
本発明の保管及び輸送用ボックスを用いれば、上述の問題点は解決され、以下に記載するようにその他の利点がもたらされる。
【００１６】
本発明の保管及び発送ボックスは、前記ボックスの外側の第１閉鎖フラップを備え、前記第１閉鎖フラップが、前記ボックスの上面の１対の対向側部から延在し、前記第１閉鎖フラップが１以上の発送を実行するために、粘着テープ、ステープル、又は接着剤を用いて封止され易い。前記ボックスは、前記ボックスの外側の第２閉鎖フラップもさらに備え、前記第２閉鎖フラップが、前記ボックスの前記上面の他方の２つの対向側部から延在し、前記第２閉鎖フラップが、前記ボックスを必要に応じて何度でも開閉するための閉鎖要素を含み、前記第２閉鎖フラップが、発送実行の前又は後に製品の保管のために又は注文準備のために用いられ易いことを特徴とする。
【００１７】
これらの特徴により、本発明のボックスは、前記第１閉鎖フラップの存在により製品を発送又は輸送するために、また、前記第２閉鎖フラップの存在により製品の保管又は注文準備（ピッキング）のために、好適に用いられることができる。
【００１８】
特に、本発明のボックスは、発送と、その後の及び保管ボックスとして（又はその逆順で）１又は複数回使用されるという利点を有する。本発明のボックスは、当分野におけるその他のボックスとは異なり、保管ボックスとしての別の機能を失わずに１回よりも多くの発送を実行するために使用されることができ、従って、非常に汎用的なボックスが得られる。
【００１９】
好ましくは、発送のための前記第１閉鎖フラップは、閉鎖位置にて当該第１閉鎖フラップの対向端により、少なくとも実質的に互いに接触するような寸法を有する。
【００２０】
任意には、発送のための前記第１閉鎖フラップは、その閉鎖位置にて部分的に又は完全に重ねられることができる。
【００２１】
一実施形態によれば、前記第１閉鎖フラップの前記対向端は６ｃｍ以下の距離で互いに分離されており、これにより、前記第１閉鎖フラップは、粘着テープにより常に封止され易い。
【００２２】
所望であれば、発送のための前記第１閉鎖フラップの一方が引裂ストリップを含むことができ、これにより、本発明のボックスの、当該ボックスがその第１閉鎖フラップにより閉鎖された場合の開放を容易にする。
【００２３】
この場合、ボックスの閉鎖位置において、前記引裂ストリップは、発送のための前記第１閉鎖フラップの他方に重なっている。
【００２４】
所望であれば、前記第１閉鎖フラップの一方が、前記第１閉鎖フラップの閉鎖を容易するために両面粘着テープを含み得る。
【００２５】
任意には、所望であれば、第２の両面粘着テープを前記第１閉鎖フラップの対向フラップに付与することができ、これにより、前記ボックスの発送のための２回目の使用を可能にし、また同時に前記ボックスを再使用可能なボックスに変えることができる。
【００２６】
好ましい実施形態によれば、好ましくは、粘着テープ、ステープル、又は接着剤の使用を回避して必要に応じて何度でも開閉することを可能にする要素が閉鎖要素として理解されよう。
【００２７】
例えば、有利には、前記閉鎖要素は、保管のための前記第２閉鎖フラップの対向端の相互ロックを可能にするタイプの閉鎖要素であり得る。この場合、好ましくは、前記閉鎖要素は、前記第２閉鎖フラップの対向端の各々に設けられた少なくとも１つのスロットを含み、このスロットを通して、保管のための前記第２閉鎖フラップを相互ロックする。
【００２８】
好ましい実施形態によれば、前記第２閉鎖フラップの前記閉鎖要素が、各フラップに設けられた前記相互ロックスロットを通して互いに取り付け可能な一連のタブを含む。しかし、この実施形態によれば、前記閉鎖要素は、前記第２閉鎖フラップの対向端の相互ロックを可能にするのに適した任意の閉鎖要素であり得る。なぜなら、この相互ロックタイプの閉鎖は、ボックスを満たしたまま前記第１閉鎖フラップが内側にある状態でボックスを有効に閉鎖することを可能にするからである。このおかげで、前記ボックスを、内側にある前記第１閉鎖フラップが前記ボックスの開口部全体を覆うことにより閉鎖しておくことができるとき、非常に有効な保管ボックスが得られる。なぜなら、前記第１閉鎖フラップが前記ボックスの内容物全体を保護するからである。一方、前記相互ロックタイプ閉鎖システムは、発送中に相互ロックフラップが内部にあるとき、前記ボックスが満杯の半分の場合でも、前記ボックスに、その他の従来のボックスに対する耐スタッキング性を与えるという利点を有する。これは、相互ロックタイプ閉鎖システムが潰れに対する高い機械的抵抗を有することによる。
【００２９】
好ましくは、前記閉鎖要素の前記タブの一方が折り曲げ線を含み、この折り曲げ線が、本発明のボックスの開閉を容易にする。
【００３０】
先に述べたように、本発明のボックスは、耐スタッキング性であり、また、フラップが常に互いに重なりあって配置され、従って、材料の２重厚さが常に存在することによりボックスの中身が保護されるという利点を有する。これは、例えば、本発明のボックス（発送ボックスとしての使用時）の封止を切る場合に特に有用である。なぜなら、この２重厚さがなければ、ボックスの中身を誤って切る場合があり得るからである。さらに、本発明のボックスは、ボックスが満たされている場合でも、２組のフラップを用いて閉鎖することができる。
【００３１】
一実施形態によれば、前記ボックスは、ほぼ平行六面体の本体を画成している複数の面を備え、且つ、前記本体の上面の２つの対向側部における、発送のための前記第１閉鎖フラップと、前記上面の他方の２つの対向側部における、保管のための前記第２閉鎖フラップとを含む。前記ボックスは、前記第１閉鎖フラップの長さ（１１，１１’）の合計が、
‐  前記第２閉鎖フラップを含むボックス側部の長さ（Ｌ２）に等しく、若しくは、
‐  前記第２閉鎖フラップを含むボックス側部の長さ（Ｌ２）よりも大きく、又は、
‐  前記第２閉鎖フラップを含むボックス側部の長さ（Ｌ２）から、７．５ｃｍ以下、好ましくは６ｃｍ以下の分離距離を差し引いた長さに等しく、前記距離が、前記第一閉鎖フラップを粘着テープにより封止する可能性を常に保証することを特徴とする。
【００３２】
同一の実施形態によれば、保管のための前記第２閉鎖フラップの少なくとも一方が、前記本体の前記上面の側部の１つから、発送のための前記第１閉鎖フラップを含む、前記面の他方の２つの側部の長さ（Ｌ１）の半分よりも大きい距離（１２）延在する。こうして、閉鎖要素に適応するための適切な構造が保証される。
【００３３】
好ましくは、前記本体の前記上面の、前記第１閉鎖フラップ及び前記第２閉鎖フラップがそこから延在する側部がインデントを含み、このインデントは、ボックスが分解されたならば実質的に互いに一直線になる。こうして、前記ボックスの外側を閉鎖するために前記第１閉鎖フラップ又は前記第２閉鎖フラップのいずれかを区別せずに用いることが容易にされる。
【００３４】
好ましくは、前記ボックス又は平行六面体の本体は、前記ボックスに形成されることができるブランクを形成するために型切りされたシート材料からつくられる。
【００３５】
好ましくは、前記本体の前記シート材料は紙パルプを含み、又は、紙パルプ（例えばボール紙）からつくられる。
【００３６】
本発明において、製品の保管作業又は製品準備により、ボックスに製品を満たして閉鎖し、保管するための動作が上記の第２閉鎖フラップを用いて行われ、この第２閉鎖フラップが閉鎖要素を含み、これらの閉鎖要素が、粘着テープ、ステープル、又は接着剤によりボックスを封止する必要なく必要に応じて何度でも開閉することを可能にすることが理解されるであろう。発送作業又は発送により、ボックスに製品を満たして閉鎖し、発送するための動作が、上記の第１閉鎖フラップを用いて行われ、この第１閉鎖フラップに、粘着テープ、接着剤、又はステープルなどの封止要素が用いられることが理解されよう。
【００３７】
開示された内容がより良好に理解されるように、幾つかの図面を添付する。図面に示されている実施形態は、概略的で且つ非限定的な例に過ぎない。
【図面の簡単な説明】
【００３８】
【図１】本発明の第１実施形態に係るボックスの開放位置における斜視図である。
【図２】本発明の第１実施形態に係るボックスの、注文準備（ピッキング）のための保管ボックスとして用いるために閉鎖動作中の斜視図である。
【図３】本発明の第１実施形態に係るボックスの、注文準備（ピッキング）のための保管ボックスとして用いるために閉鎖動作中の斜視図である。
【図４】本発明の第１実施形態に係るボックスの、注文準備（ピッキング）のための保管ボックスとして用いるために閉鎖動作中の斜視図である。
【図５】本発明の第２実施形態に係るボックスの、輸送ボックスとして用いるために閉鎖動作中の斜視図である。
【図６】本発明の第２実施形態に係るボックスの、輸送ボックスとして用いるために閉鎖動作中の斜視図である。
【図７】本発明の別の第２実施形態に係るボックスの、閉鎖動作中の斜視図である。
【図８】本発明の別の第２実施形態に係るボックスの、開放動作中の斜視図である。
【図９】本発明の別の第３実施形態に係るボックスの、閉鎖動作中の斜視図である。
【図１０】本発明の別の第３実施形態に係るボックスの、開放動作中の斜視図である。
【図１１】本発明のボックスのブランク状態の平面図である。
【発明を実施するための形態】
【００３９】
図１に示されているように、本発明のボックスは、シート材料（例えば、段ボール（ボール紙））からつくられた平行六面体の本体を有し、本体の上面に、ボックスの外側の２組の閉鎖フラップが設けられている。これらの２組は、ボックスを発送又は輸送ボックスとして用いるための、一対の第１閉鎖フラップ１と、ボックスを保管ボックスとして用いるための、一対の第２閉鎖フラップ２とからなる。
【００４０】
第２閉鎖フラップ２は、ボックスの容易な開閉を必要に応じて何度でも可能にする閉鎖要素を含み、この要素は、第２閉鎖フラップの対向端を相互ロックさせるのに適している。なぜなら、このタイプの相互ロック閉鎖は、ボックスが満たされた状態で、且つ、第１閉鎖フラップがボックスの内側にて無傷の状態でボックスを有効に閉鎖することを可能にするからである（図３及び図４を参照）。
【００４１】
示されている実施形態において、上記閉鎖要素は、フラップ２の各々において、中央タブ３及び２つの側方タブ４により形成されており、これらのタブが、対向するフラップ２のタブに、各フラップ２に設けられた相互ロックスロット８を通して取り付け可能である。
【００４２】
中央タブ３の一方が折り曲げ線５を含み、この折り曲げ線５が、第２閉鎖フラップ２によるボックスの開閉を容易にする。
【００４３】
図面には、タブ３，４を有する閉鎖要素の実施形態が示されているが、閉鎖要素がこれとは異なっていてもよく、しかし、ボックスを必要に応じて何度でも開閉するのに適していなければならないことは明らかである。
【００４４】
また、本発明のボックスが、ボックスの発送を容易にするためのハンドル状穴５を含むことができることに留意されたい。なお、穴５は必須ではない。
【００４５】
図２〜図４に、本発明のボックスの、保管ボックスとして用いられる場合の閉鎖プロセスが示されている。開放プロセスは閉鎖プロセスの逆である。
【００４６】
図２に示されているように、最初に第１閉鎖フラップ１を内側に折り曲げ、これが、蓋の補強物として機能する。
【００４７】
次いで、第２閉鎖フラップ２を折り曲げ、これにより、タブ３，４が互いに補完的に係合する（図３）。
【００４８】
図４は、本発明のボックスが、保管ボックスとして使用されるために、又は、注文準備（ピッキング）のために閉鎖位置にある状態を示す。この用途のために、ボックス自体とは別個の追加の閉鎖要素は必要でない。なぜなら、ボックスを第２閉鎖フラップ２の閉鎖要素により閉鎖することができるからである。
【００４９】
従って、塵や埃がボックス内部に入り込むことが防止され、ボックスを必要に応じて何度でも開閉することが可能になり、また、注文準備のためにボックスを開閉するときの時間が節約される。
【００５０】
一方、ボックスを発送又は輸送ボックスとして使用する場合は、図５に示されているように、最初に第２閉鎖フラップ２を、それらのほぼ水平位置まで折り曲げなければない。
【００５１】
次いで、発送のための第１閉鎖フラップ１を、それらのほぼ水平位置まで折り曲げる（図６）。
【００５２】
図６は、１以上の発送の実行を可能にするために、発送のための第１閉鎖フラップ１がボックスの上面全体を実質的に覆わなければならないことを示す。
【００５３】
好ましくは、発送のための第１閉鎖フラップ１は互いに同一であり、且つ、それらの対向端にて接触している。しかし、第１閉鎖フラップ１の端部間に、粘着テープのような封止（シール）要素を配置するために十分に大きい間隙があるべきであり、これが実際、この間隙が６ｃｍよりも大きくてはならないことを意味することに留意されたい。
【００５４】
図６に示されてはいないが、対向端上に、粘着テープ、ステープル、接着剤（糊）、又は任意のその他の封止要素が、ボックスを封止するために付与される。
【００５５】
ボックスを発送又は輸送に用いる場合、ボックスをその閉鎖位置から開放するために、粘着テープ、又は、ボックスを封止するために用いられたその他の任意の要素を事前に取り除いておくことが必要である。粘着テープ、ステープル、接着剤、又は任意のその他の封止要素を取り除くときに、第１閉鎖フラップ１が損傷する可能性があるが、これは、本発明のボックスに関しては問題でない。なぜなら、ボックスを、保管ボックスとして又は注文準備（ピッキング）のために用いる場合に閉鎖するためには、第２閉鎖フラップ２を用いるからである。
【００５６】
所望であれば、発送のための第１閉鎖フラップ１は、それらの端部同士が重なるような寸法を有することができる（例えば、図７〜図１０に示されている実施形態でのように）。
【００５７】
図７及び図８は、本発明のボックスの第２実施形態を示す。
【００５８】
図１〜図６の実施形態に対する主な違いは、ボックスが発送又は輸送ボックスとして使用される場合のボックスの開放を容易にするために引裂ストリップ（開封帯）６が存在することである。引裂ストリップは、２つのプレカット（切り込み入り）ラインにより画成されている。
【００５９】
この場合、引裂ストリップ６は、その閉鎖位置において、第１閉鎖フラップ１の他方に重なっている。
【００６０】
さらに、この第２実施形態において、第１閉鎖フラップ１の一方が、当該第１閉鎖フラップ１の内側部分に配置された両面粘着テープ７を含む。この両面粘着テープ７は、第１閉鎖フラップ１を快適に互いに取り付けることを可能にする。このために、第１閉鎖フラップ１同士が部分的に又は完全に重なり合わなければならない。
【００６１】
引裂ストリップ６を取り外すために、引裂ストリップ６はその一端に把持ゾーンを含み、こうして、把持ゾーンを引くことにより引裂ストリップを容易に取り外すことができる。
【００６２】
図９及び図１０に示されている第３実施態様は、以上に記載した第２実施形態に非常に類似している。唯一の違いは引裂ストリップ６であり、この実施形態において、引裂ストリップ６は、第１閉鎖フラップ１のボール紙を引裂するための十分な強度を有する糸により画成されている。この実施形態においても、第１閉鎖フラップ１の一方が両面粘着テープ７を含む。
【００６３】
本発明のボックスの縁が、ボックスを決定するシートをアンチカット（ａｎｔｉ−ｃｕｔ）ストリップを用いてカットすることにより得られることが留意されよう。このようにして、端部は、ユーザがボックスの取り扱い中に自分自身を傷つけることを防止する鋭利でないプロファイル｛ラフプロファイル（ｒｏｕｇｈ  ｐｒｏｆｉｌｅ）｝を有する。
【００６４】
また、本発明のボックスの底部がどのようなものであってもよく、従って、本発明の詳細な説明に記載されないことも留意されたい。
【００６５】
図１１は、本発明のボックスの、平行六面体の本体が分解された状態の平面図である。図１１は、平行六面体の本体の上面の、閉鎖フラップ１，２を含む側部のインデント９の位置合わせされた（一直線になる）様子を示す。本発明の説明に述べられているように、インデント９の位置合わせは、２組のフラップをボックスの外側の閉鎖のために無差別に使用することを容易にする。
【００６６】
図１１に、第１閉鎖フラップ１の延在距離１１，１１’、及び、第２閉鎖フラップ２の延在距離１２がそれぞれ示されており、また、フラップ１，２がそこから延在するボックス側部の長さＬ１及びＬ２も示されている。
【００６７】
発明の概要に述べられており、また、図１１に見られるように、発送のためのフラップ１を少なくとも粘着テープにより封止できることを保証するために、第１閉鎖フラップ１の長さ１１，１１’の合計を以下のように保証することが必須であろう。すなわち、１１，１１’の合計は、
‐  第２閉鎖フラップ２を含むボックス側部の長さＬ２に等しい、若しくは、
‐  第２閉鎖フラップ２を含むボックス側部の長さＬ２よりも大きい、又は、
‐  第２閉鎖フラップを含むボックス側部の長さＬ２から、分離距離（７．５ｃｍ以下、好ましくは６ｃｍ以下）を差し引いた長さに等しい。
【００６８】
本発明の特定の実施形態について言及してきたが、当業者には、記載された保管及び輸送ボックスが変更及び修正可能であり、また、記載された詳細の全てを、添付の特許請求の範囲により定義される保護の範囲から逸脱せずに、技術的に等価なその他のものにより置き換えられることが明確であろう。
【符号の説明】
【００６９】
１  第１閉鎖フラップ
２  第２閉鎖フラップ
３  中央タブ
４  側方タブ
５  折り曲げ線
５  ハンドル状穴
６  引裂ストリップ
７  両面粘着テープ
８  相互ロックスロット
１１  第１閉鎖フラップ１の延在距離
１１’  第１閉鎖フラップ１の延在距離
１２  第２閉鎖フラップ２の延在距離
【図１】
2014517795.tif 000003
【図２】
2014517795.tif 000004
【図３】
2014517795.tif 000005
【図４】
2014517795.tif 000006
【図５】
2014517795.tif 000007
【図６】
2014517795.tif 000008
【図７】
2014517795.tif 000009
【図８】
2014517795.tif 000010
【図９】
2014517795.tif 000011
【図１０】
2014517795.tif 000012
【図１１】
2014517795.tif 000013
【国際調査報告】
2014517795.tif 000014
2014517795.tif 000015